(57)【要約】【課題】発光管２から口金４に向かう軸線に対して非回転体形状に反射面３ｄを形成することにより、外球３の側方に光を照射することができる照明灯及びこれを用いた照明器具を提供する。【解決手段】発光管２を囲む透光性の外球３の一端に口金４が取り付けられた照明灯（メタルハライドランプ１）において、口金４における、発光管２から口金４に向かう方向（後方）に直交するいずれかの方向（上方）側の反射部３ｂの内面に反射面３ｄが形成された構成とする。また、発光管２を囲む透光性の外球３の一端に口金４が取り付けられた照明灯（メタルハライドランプ１）において、口金４の内面の一部に反射面３ｄが形成されると共に、この外球３における内面に反射面３ｄが形成されない部分（照射部３ｃ）に、外側に向けて半球状又は半円柱状に突出したレンズ部３ｅが形成された構成とする。【選択図】        図１
2005005231.tif 000002
【特許請求の範囲】
【請求項１】
発光部を囲む透光性の外球の一端に口金が取り付けられた照明灯において、
外球における、発光部から口金に向かう方向に直交する方向のいずれかの方向側の内面に反射面が形成されたことを特徴とする照明灯。
【請求項２】
発光部を囲む透光性の外球の一端に口金が取り付けられた照明灯において、
外球にレンズ部が形成されたことを特徴とする照明灯。
【請求項３】
請求項１又は請求項２の照明灯の口金をソケットに装着すると共に、この照明灯を直接被照射部に露出させたことを特徴とする照明器具。
【発明の詳細な説明】
【０００１】
【発明の属する技術分野】
本発明は、放電灯や白熱灯のような照明灯及びこれを用いた照明器具に関する。
【０００２】
【従来の技術】
放電灯は、放電を行う発光管（発光部）を透光性の外球で囲み、この外球の一端に口金を取り付けた構成のものが多い。また、白熱灯も、白熱するフィラメント（発光部）を透光性の外球で囲み、この外球の一端に口金を取り付けた構成のものが多い。そして、これら放電灯や白熱灯のような照明灯には、外球の内面の一部に反射面を形成し照射光に指向性を持たせた反射形のものがある。
【０００３】
高圧放電灯の一種であるメタルハライドランプにおける反射形の従来の構成例を図６に示す（例えば、特許文献１参照。）。このメタルハライドランプ１は、発光管２の周囲を外球３で囲み、この外球３の上端に口金４を取り付けている。発光管２は、アルミナ等の透光性セラミックスからなる密閉容器の内部で電極を対向させると共に、この密閉容器の内部に水銀と１種類以上の金属ハロゲン化物を希ガスと共に封入したものである。そして、この発光管２は、口金４から引き出されたリード材を介して電極に交流電源が供給されると共に、このリード材によって外球３の内部で支持されるようになっている。外球３は、透明な硬質ガラスをフラスコ状に形成したものであり、このフラスコ状の開口部となる筒状のネック部３ａの上端が封止されると共に、ここに口金４が取り付けられている。また、この外球３は、ネック部３ａの下方のフラスコ状の球体に相当する部分に、下方ほど径が広がる半回転楕円体状の反射部３ｂが形成されると共に、この反射部３ｂの半回転楕円体状の最大径部付近の中央部が下方に窪んだ球面状の照射部３ｃによって塞がれた形状となっている。そして、この外球３における反射部３ｂの内面に、アルミニウム蒸着膜からなる反射面３ｄが形成され、発光管２から発した光が反射されて照射部３ｃから下方に照射されるようになっている。
【０００４】
上記構成の反射形のメタルハライドランプ１は、発光管２から発した光が直接又は反射面３ｄで反射して照射部３ｃを通り抜け下方に照射されるので、反射板等を備えた照明器具を用いなくても、指向性の高い照明を行うことができるようになる。また、反射面３ｄが密閉された外球３内にあるため、ほこり等によって汚れることがないので、反射面３ｄの清掃作業が不要になるという利点も有する。
【０００５】
【特許文献１】
特開２００２−２０３４０４号公報
【０００６】
【発明が解決しようとする課題】
ところが、上記従来の反射形のメタルハライドランプ１は、外球３における発光管２から口金４に向かう方向側の内面である反射部３ｂの内面に反射面３ｄが形成されているので、照明器具のソケットに口金４を装着すると、この口金４とは反対側の方向に光が照射されることになり、サーチライトのような利用形態となって、照明器具のデザインに制約が多くなるという問題があった。
【０００７】
例えば、上記反射形のメタルハライドランプ１を用いて天井から室内の照明を行う場合、照明器具はソケットを下向けにして配置し、その下にメタルハライドランプ１を吊り下げるように取り付ける他なく、この室内を壁面側から照明する場合にも、照明器具のソケットを壁面から横向きに配置し、その前方にメタルハライドランプ１を突出するように取り付ける他なく、これらの照明器具にデザイン的な工夫を行う余地があまりなかった。即ち、反射形でないメタルハライドランプを反射板を備えたカバー内に収納する照明器具では、例えば道路照明灯のように、道路脇に直立するポールの先端部が道路側に向けて横向きに湾曲し、その先端にランプが横向きに突出して取り付けられ下方の路面を照明するというようなデザインが可能となり、天井の照明でも、ランプを横向きに配置することが可能となる。また、室内を壁面側から照明する場合にも、壁側に反射板を備えたカバーを用いることにより、ランプを直立させて配置することができるようになる。
【０００８】
さらに、反射形でないメタルハライドランプをカバー内に収納する照明器具では、このカバーの透光性の部分にレンズ作用を持たせたり光拡散作用を持たせることにより、任意の配光特性を得ることができるが、反射形のメタルハライドランプ１をカバーで覆わずに用いると、照射部３ｃが透明で厚さもほぼ均一な素通しのガラス板状であるため、発光管２からの光が直接照射され、配光特性を調整することができないという問題もあった。
【０００９】
なお、上記問題点は、反射形のメタルハライドランプに限らず、他の放電灯や白熱灯にも共通するものである。
【００１０】
本発明は、かかる事情に対処するためになされたものであり、発光部から口金に向かう軸線に対して非回転体形状に反射面を形成することにより、外球の側方に光を照射することができる照明灯及びこれを用いた照明器具を提供することを目的としている。
【００１１】
【課題を解決するための手段】
請求項１の照明灯は、発光部を囲む透光性の外球の一端に口金が取り付けられた照明灯において、外球における、発光部から口金に向かう方向に直交する方向のいずれかの方向側の内面に反射面が形成されたことを特徴とする。
【００１２】
請求項１の発明によれば、発光部からの光を外球における口金の側方に照射することができるので、例えば口金を下にして照明灯を直立させた配置で横方向への照明を行ったり、口金を横向きに配置して下方への照明を行うことができるようになる。従って、反射形の照明灯をカバーで覆うことなく用いた場合にも、照明器具のデザインのバリエーションを広げることができるようになる。
【００１３】
請求項２の照明灯は、発光部を囲む透光性の外球の一端に口金が取り付けられた照明灯において、外球にレンズ部が形成されたことを特徴とする。
【００１４】
請求項２の発明によれば、発光部からの光が直接又は反射面で反射されて外球を通り抜ける際に、レンズ部を通過するため、配光を広げる、狭める、拡散させるといった効果が得られ、照明灯をカバーで覆うことなく、任意の配光特性を得ることができるようになる。
【００１５】
なお、この請求項２の照明灯は、発光部を囲む透光性の外球の一端に口金が取り付けられた照明灯において、外球の内面の一部に反射面が形成されると共に、この外球における内面に反射面が形成されない部分に、外側に向けて半球状又は半円柱状に突出したレンズ部が形成された構成とすることもできる。これは、反射形の照明灯の場合には、外球の反射面が形成されない部分にレンズ部を形成すれば足りるからである。また、このレンズ部は、半球状とすることにより、周囲全体の配光特性を均一に変化させ、半円柱状とすることにより、配光特性に方向性を持たせることができる。
【００１６】
請求項３の照明器具は、請求項１又は請求項２の照明灯の口金をソケットに装着すると共に、この照明灯を直接被照射部に露出させたことを特徴とする。
【００１７】
請求項３の発明によれば、照明灯の外球から出た光を直接被照射部に照射するので、この照明灯をカバーで覆う必要がなくなり、器具の構造を簡易にすることができる。しかも、照明灯の大半の部分が露出しているので、この照明灯を交換する際の手間も軽減することができるようになる。
【００１８】
なお、この請求項３の照明器具は、請求項１の照明灯又は請求項２における反射形の照明灯の口金をソケットに装着すると共に、少なくともこの照明灯の外球における内面に反射面が形成されない部分を直接被照射部に露出させた構成とすることもできる。これは、反射形の照明灯の場合には、外球の反射面が形成されない部分を被照射部に向ければ足りるからである。従来のカバーは反射面を備えたものが多いので、このように反射形の照明灯を用いることにより、用途の多い照明器具を提供することができるようになる。
【００１９】
【発明の実施の形態】
以下、本発明の実施形態について図面を参照して説明する。
【００２０】
図１〜図５は本発明の一実施形態を示すものであって、図１はメタルハライドランプの縦断面側面図、図２はメタルハライドランプの側面図、図３はメタルハライドランプの底面図、図４はメタルハライドランプを用いた室内照明用の照明器具の側面図、図５はメタルハライドランプを用いた道路照明用の照明器具の側面図である。なお、図６に示した従来例と同様の機能を有する構成部材には同じ番号を付記する。
【００２１】
本実施形態は、図６に示した従来例と同様に、反射形のメタルハライドランプについて説明する。このメタルハライドランプ１は、図１に示すように、発光管２の周囲を外球３で囲み、この外球３の後方端に口金４を取り付けている。発光管２の構成やこの発光管２の取り付け構造は、従来例と同じである。ただし、本実施形態のメタルハライドランプ１は、従来例と異なり、口金４を横向きにした状態で使用するので、発光管２の点灯方向は相違する。
【００２２】
本実施形態の外球３は、透明な硬質ガラスを非回転体形状のフラスコ状に形成したものであり、このフラスコ状の開口部となる筒状のネック部３ａの後方端が封止されると共に、ここに口金４が取り付けられている。ただし、この外球３のネック部３ａの前方側の形状は、発光管２から口金４に向かう軸線を中心とした回転体となる従来例の形状とは相違する。即ち、本実施形態の外球３は、図２及び図３に示すように、ネック部３ａの前方側が長円筒形の水筒のような形状を成し、発光管２から口金４に向かう軸線を含む垂直面に対して左右対称の形状となる。従って、この外球３の前方側は、図３の底面図では幅の広いほぼ長円形となるが、図２の側面図では幅の狭い楕円形乃至長円形のような形状となる。
【００２３】
また、上記外球３のネック部３ａの前方側は、上下方向のほぼ中央部を横切る水平面よりも上方の部分が反射部３ｂとなり、図１に示すように、この反射部３ｂの内面にアルミニウム蒸着膜からなる反射面３ｄが形成されている。なお、この反射面３ｄは、光を透過することなく効率良く反射する面であればよいので、アルミニウム蒸着膜のような鏡面に限らず、白色等の明度の高い色からなる面であってもよい。そして、この上下方向のほぼ中央部を横切る水平面よりも下方の部分は、照射部３ｃとなり、外面が半球状や半円柱状に突出したレンズ部３ｅが形成されている。これらのレンズ部３ｅは、照射部３ｃの前後の端部では、半球状に突出したレンズ状となり、発光管２からの光を周囲全体に広げるようになっている。また、照射部３ｃの中央部では、左右方向に長い半円柱状（実際には照射部３ｃの湾曲した形状に沿って曲がった半円柱状となる）に突出したシリンドリカルレンズ状となり、発光管２からの光を主に前後方向により広範囲に広げるようになっている。
【００２４】
なお、上記外球３の反射部３ｂや照射部３ｃの内面には、拡散層を形成することもできる。拡散層は、透過した光を拡散させることができる乳白色等の薄い透光性の層であり、例えば拡散剤を溶剤で溶いたものを内面に塗布し乾燥させることにより形成することができる。このような拡散層を照射部３ｃの内面に形成すれば、外球３から出射される光を拡散させるため、発光管２によるグレアを防止することができるようになる。また、この拡散層を反射部３ｂの内面の反射面３ｄに重ねて形成すれば、この反射面３ｄでの反射光を拡散させるので、この反射面３ｄによるグレアを防止すると共に、反射光が発光管２に戻されることにより温度が上昇しすぎるのを防止することもできる。そして、この拡散層は、これら照射部３ｃと反射部３ｂの内面の双方に形成することもできる。さらに、このような拡散層に代えて、外球３の硬質ガラス自体に拡散剤を混入したり、表面に傷を付ける等の処理を行うことにより拡散性を持たせることもできる。この場合、反射部３ｂの内面の反射面３ｄには影響がないので、照射部３ｃの内面にのみ拡散層を形成した場合と同様の効果を得ることができる。
【００２５】
本実施形態のメタルハライドランプ１は、発光管２から口金４に向かう方向（後方）に直交する方向（上方側）の外球３が反射部３ｂとなり、この反射部３ｂの内面にのみ反射面３ｄが形成されているので、発光管２からの光は、直接又はこの反射面３ｄで反射されて、照射部３ｃを通過し下方に照射される。即ち、このメタルハライドランプ１は、口金４に対して側方に光を照射することができる。また、このメタルハライドランプ１は、発光管２からの光が外球３の照射部３ｃのレンズ部３ｅを通過して下方に照射されるので、前後端部の半球状のレンズ部３ｅによって光を周囲全体に広げると共に、中央部の半円柱状のレンズ部３ｅによってこの光を特に前後方向に広げるような配光特性を有するようになる。また、このようなレンズ部３ｅを用いると、外球３に拡散層を形成しなくても、グレアをある程度抑制することができるようになる。
【００２６】
上記構成のメタルハライドランプ１は、例えば図４に示すように、室内照明用の照明器具５に用いることができる。この照明器具５は、ソケットを備えた本体５ａとホルダ部５ｂとアーム５ｃとからなり、メタルハライドランプ１の外球３の照射部３ｃを下方に向けると共に口金４を横向きにして、この口金４を本体５ａのソケットに取り付けるようになっている。ホルダ部５ｂは、外球３の前方端部に形成された凹部に嵌まり込んで、本体５ａと共にこの外球３を前後の端部で支持するようになっている。アーム５ｃは、パイプの前後の下端にこれら本体５ａとホルダ部５ｂとを取り付けた持ち手状のものであり、この上端中央部がコード５ｄを介して天井から吊り下げられるように設置される。
【００２７】
また、上記構成のメタルハライドランプ１は、例えば図５に示すように、道路照明用の照明器具６に用いることができる。この照明器具６は、道路脇に直立するポール６ａの上端部から先端部にソケットを備えたソケット部６ｂを突出させると共に、このソケット部６ｂにアーム６ｃとホルダ部６ｄを取り付けたものである。メタルハライドランプ１は、外球３の照射部３ｃを下方に向けて、横向きの口金４をソケット部６ｂに取り付けると共に、外球３の前方端部に形成された凹部にホルダ部６ｄを嵌め込んで装着するようになっている。ホルダ部６ｄは、アーム６ｃを介してソケット部６ｂに支持される。また、ソケット部６ｂにはパッキンが設けられており、メタルハライドランプ１の口金４をソケット部６ｂに取り付けたときに、このパッキンがネック部３ａに密着して防水性を備えるようになっている。
【００２８】
これらの照明器具５，６を用いると、メタルハライドランプ１をカバーやフードで覆うことなくそのまま使用しても、下方の室内や路面への指向性の高い照明を行うことができ、グレアを抑制して特に前後方向に広範囲の照明を行うような配光特性を持たせることもできる。また、メタルハライドランプ１をカバー等で覆わないので、このメタルハライドランプ１の交換作業も容易となる。しかも、メタルハライドランプ１を横向きに配置するので、サーチライトのような無機質な印象をなくして、デザイン的にも種々のバリエーションを創り出す余地を与えることができるようになる。
【００２９】
さらに、上記構成のメタルハライドランプ１は、例えば口金４を下向きにして直立させて照明器具に取り付けることにより、室内を壁側から照明したり、屋外のライトアップ等に用いることもできる。さらに、上記実施形態と同様に口金４は横向きにするが、照射部３ｃを左右方向や上向きにして、例えば壁面から外球３だけを突出させるようにすることにより、建築物の壁面照明等を行うようにすることもでき、外部に露出するのはメタルハライドランプ１の外球３だけになるような照明器具に用いることもできる。つまり、従来のメタルハライドランプ１は、外球３が発光管２から口金４に向かう軸線を中心にほぼ回転体の形状に形成されていたので、このメタルハライドランプ１をそのまま露出させて用いると、デザイン的に極めて制約されたものにならざるを得ないが、本実施形態のメタルハライドランプ１であれば、外球３が回転体形状ではないため、これをそのまま外部に露出させて用いた種々のデザインを創り出すことが可能となる。
【００３０】
なお、上記実施形態では、メタルハライドランプ１の外球３が、回転体形状ではないが、発光管２から口金４に向かう軸線を含む垂直面に対して左右対称の形状となっていた。しかしながら、この外球３の形状は任意であり、本実施形態のような対称形である必要もない。また、この外球３は、所定の強度や耐熱性を有するものであれば、硬質ガラス以外の任意の透光性（透明又は半透明）の素材を用いることもできる。
【００３１】
また、上記実施形態では、メタルハライドランプ１について説明したが、発光管と外球とを有する他の放電灯であっても同様に実施可能であり、フィラメントを外球で囲んだ白熱灯にも同様に実施可能である。
【００３２】
【発明の効果】
以上の説明から明らかなように、本発明の照明灯及びこれを用いた照明器具によれば、照明灯の発光部からの光を外球における口金の側方に照射することができるので、この照明灯を用いた照明器具のデザインのバリエーションを広げることができるようになる。また、照明灯の外球から出る照明光の配光を任意に調整することができるようになる。さらに、このような照明灯を用いた照明器具は、構造を簡易にして照明灯の交換作業も容易にすることができる。
【図面の簡単な説明】
【図１】本発明の一実施形態を示すものであって、メタルハライドランプの縦断面側面図である。
【図２】本発明の一実施形態を示すものであって、メタルハライドランプの側面図である。
【図３】本発明の一実施形態を示すものであって、メタルハライドランプの底面図である。
【図４】本発明の一実施形態を示すものであって、メタルハライドランプを用いた室内照明用の照明器具の側面図である。
【図５】本発明の一実施形態を示すものであって、メタルハライドランプを用いた道路照明用の照明器具の側面図である。
【図６】従来例を示すものであって、反射形のメタルハライドランプの縦断面側面図である。
【符号の説明】
１    メタルハライドランプ
２    発光管
３    外球
３ａ  ネック部
３ｂ  反射部
３ｃ  照射部
３ｄ  反射面
３ｅ  レンズ部
４    口金
５    照明器具
６    照明器具
【図１】
2005005231.tif 000003
【図２】
2005005231.tif 000004
【図３】
2005005231.tif 000005
【図４】
2005005231.tif 000006
【図５】
2005005231.tif 000007
【図６】
2005005231.tif 000008